(57)【要約】【課題】球を遊技機枠の裏側から遊技機枠の前側の球皿構造体に誘導する樋の閉め忘れ防止を図る。【解決手段】タンク１０８から払い出された球を遊技機枠７１の裏側から球皿構造体８２の球収納室９０に誘導する前横樋１０６を備え、前横樋１０６が前側に開口された溝構造体１７１とこの溝構造体１７１の前側を塞ぐ蓋構造体１７２とから構成され、遊技機枠７１には溝構造体１７１と取付部２４４とが設けられ、蓋構造体１７２には取付部２４４に前側から後側への押し込みで係合し後側から前側への引っ張りで解除し得る固定具２１１が設けられ、固定具２１１と取付部２４４との係合・解除によって、蓋構造体１７２が遊技機枠７１に着脱自在に取り付けられ、球皿構造体８２の裏面には球皿構造体８２が閉じられる過程において固定具２１１を取付部２４４に押し込むように後側に押す操作具確認部１９２が設けられている。【選択図】図１
2006014811.tif 000002
【特許請求の範囲】
【請求項１】
遊技機枠が遊技機枠の裏側におけるタンクから払い出された球を遊技機枠の裏側から遊技機枠の前側に開閉可能に設けられた球皿構造体の球収納室に誘導する前横樋を備え、前横樋が前側に開口された溝構造体とこの溝構造体の前側を塞ぐ蓋構造体とから構成され、遊技機枠には溝構造体と取付部とが設けられ、蓋構造体には取付部に前側から後側への押し込みで係合し後側から前側への引っ張りで解除し得る固定具が設けられ、固定具と取付部との係合・解除によって、蓋構造体が遊技機枠に着脱自在に取り付けられ、球皿構造体の裏面には球皿構造体が閉じられる過程において固定具を取付部に押し込むように後側に押す操作具確認部が設けられた遊技機の遊技機枠。
【請求項２】
蓋構造体が下部に固定具を備え上部に係合部を備え、遊技機枠が溝構造体の下部に取付部を備え溝構造体の上部に蓋構造体の係合部と係合する被係合部を備えたことを特徴とする請求項１記載の遊技機の遊技機枠。
【発明の詳細な説明】
【技術分野】
【０００１】
本発明は、球を遊技機枠の裏側から遊技機枠の前側の球皿構造体に誘導する樋の閉め忘れ防止を図ることができる遊技機の遊技機枠に関する。
【背景技術】
【０００２】
パチンコ機の遊技機枠には、遊技機枠を取り付けるパチンコ店の島と呼ばれる遊技機設置構造体の補給系統から供給された球を、遊技機枠の裏側におけるタンクで貯蔵し、この貯蔵された球を賞球または貸球としてタンクから払い出し、この払い出された球を遊技機枠の裏側から遊技機枠の前側における球皿構造体の球収納室に前横樋で誘導する構造が知られている。この前横樋を筒状に形成し、この筒状の前横樋を遊技機枠に取り付けることが考えられるが、前横樋の内部を点検する作業が面倒である。そこで、前横樋を前側に開口された溝構造体とこの溝構造体の前側を塞ぐ蓋構造体とから構成し、溝構造体を遊技機枠に設け、溝構造体の前側を塞ぐように蓋構造体を遊技機枠に着脱自在に取り付けるように構成した場合、作業者が蓋構造体を遊技機枠に固定する固定具を確実に止めることを忘れることがある。このような場合、固定具が遊技中の振動で脱落し、蓋構造体が遊技機枠から脱落してしまう。そして、蓋構造体が遊技機枠から脱落すると、前横樋としての機能が失われ、球を遊技機枠の裏側から遊技機枠の前側の球皿構造体に誘導することができないという欠点がある。
【特許文献１】特開２００４−３３２５０号公報
【発明の開示】
【発明が解決しようとする課題】
【０００３】
発明が解決しようとする問題点は、前横樋を前側に開口された溝構造体とこの溝構造体の前側を塞ぐ蓋構造体とから構成し、溝構造体を遊技機枠に設け、溝構造体の前側を塞ぐように蓋構造体を遊技機枠に着脱自在に取り付けるように構成した場合、作業者が蓋構造体を遊技機枠に固定する固定具を確実に止めることを忘れることがあるという点である。
【課題を解決するための手段】
【０００４】
本発明に係る遊技機の遊技機枠は、遊技機枠遊技機枠の裏側におけるタンクから払い出された球を遊技機枠の裏側から遊技機枠の前側に開閉可能に設けられた球皿構造体の球収納室に誘導する前横樋を備え、前横樋が前側に開口された溝構造体とこの溝構造体の前側を塞ぐ蓋構造体とから構成され、遊技機枠には溝構造体と取付部とが設けられ、蓋構造体には取付部に前側から後側への押し込みで係合し後側から前側への引っ張りで解除し得る固定具が設けられ、固定具と取付部との係合・解除によって、蓋構造体が遊技機枠に着脱自在に取り付けられ、球皿構造体の裏面には球皿構造体が閉じられる過程において固定具を取付部に押し込むように後側に押す操作具確認部が設けられたことを最も主要な特徴とする。本発明に係る遊技機の遊技機枠にあっては、蓋構造体が下部に固定具を備え上部に係合部を備え、遊技機枠が溝構造体の下部に取付部を備え溝構造体の上部に蓋構造体の係合部と係合する被係合部を備えたりすることも特徴とする。
【発明の効果】
【０００５】
本発明に係る遊技機の遊技機枠は、作業者が、蓋構造体を取り外し、溝構造体を検査した後、溝構造体に蓋をするべく、蓋構造体を遊技機枠に装着し、固定具を取付部に押し込むように操作したが、固定具が取付部に確実に押し込まれておらず、固定具と取付部との嵌め合いが解除され得る状態のまま、球皿構造体を閉じても、操作具確認部が固定具を取付部に押し込み、固定具が取付部に確実に押し込まれ、固定具と取付部との嵌め合いが解除されることはないという利点がある。これによって、固定具が遊技中の振動で脱落することも、蓋構造体が遊技機枠から脱落することもないという利点がある。蓋構造体が下部に固定具を備え上部に係合部を備え、遊技機枠が溝構造体の下部に取付部を備え溝構造体の上部に蓋構造体の係合部と係合する被係合部を備えれば、蓋構造体が遊技機枠に固定具で取り付けられて、蓋構造体と溝構造体とかなる前横樋の内部を球が流れる場合、操作具確認部で押え付けられている固定具が球から蓋構造体への負荷を負担するので、係合部と被係合との嵌め合い構造を前後方向で直線的に嵌まったり抜けたりすることが可能な構造としても、係合部と被係合との嵌め合いが外れることがないという利点がある。
【発明を実施するための最良の形態】
【０００６】
図１−図５は、発明を実施するための最良の形態である。図１は、遊技機枠７１と遊技盤１１０との外観を示す。図２は、球皿構造体８２が閉じられた場合における遊技機枠７１の球皿構造体８２の周りを縦方向に切断した断面を示す。図３は、可動枠７５の内部から遊技機枠７１の前側に球を排出する通路を形成する構造の前側からの外観を示す。図４は、固定具２１１を分解して示す。図５は固定具２１１の内部構造の断面を示す。この明細書において、「前」、「後」、「裏」、「左」、「右」、「上」、「下」の方向は、図１の状態に遊技機枠７１および遊技盤１１０を置いて前側から見た場合に特定される方向である。「後」と「裏」とは同じ方向である。
【０００７】
図１を参照し、パチンコ機における遊技機枠７１の前側の構造について説明する。遊技機枠７１において、前横樋１０６は、遊技主体収納構造体７８に設けられる溝構造体１７１と、溝構造体１７１の前側を塞ぐように遊技主体収納構造体７８に着脱される蓋構造体１７２と、遊技主体収納構造体７８に設けられる取付部２４４と、蓋構造体１７２に設けられる固定具２１１とを備え、固定具２１１が取付部２４４に押し込まれることによって、蓋構造体１７２が溝構造体１７１の前側を塞ぐように遊技主体収納構造体７８に取り付けられ、その状態において、人が固定具２１１を前側に引っ張ると、固定具２１１が取付部２４４から前側に引き抜かれるのに伴い、蓋構造体１７２が遊技主体収納構造体７８から前側に取り外される。可動枠７５にヒンジで前側横方向に片開き可能に取り付けられた球皿構造体８２の裏面には、操作具確認部１９２が設けられる。操作具確認部１９２は、球皿構造体８２が閉じられる過程において、固定具２１１を取付部２４４に押し込むように後側に押す部分である。つまり、操作具確認部１９２が球皿構造体８２の裏面に設けられているので、作業者が、蓋構造体１７２を取り外し、溝構造体１７１を検査した後、溝構造体１７１に蓋をするべく、蓋構造体１７２を遊技主体収納構造体７８に装着し、固定具２１１を取付部２４４に押し込むように操作したが、固定具２１１が取付部２４４に確実に押し込まれておらず、固定具２１１と取付部２４４との嵌め合いが解除され得る状態のまま、球皿構造体８２を閉じても、図２に示すように、操作具確認部１９２が固定具２１１を取付部２４４に押し込み、固定具２１１が取付部２４４に確実に押し込まれ、固定具２１１と取付部２４４との嵌め合いが解除されることはない、という利点がある。
【０００８】
遊技機枠７１は、パチンコ店の図外の遊技設置構造体に取り付けるための外枠と呼ばれるような固定枠７２を備える。固定枠７２は、前後方向に開放された縦長な長方形の空間を囲む額縁形状である。固定枠７２の下部前面に設けられた幕板部７３には、低音用のスピーカーの低音を幕板部７３の裏側から前側に放出する放音孔部７４が左右に設けられる。放音孔部７４の裏面には図外のスピーカーが、個別に取り付けられる。固定枠７２には、前枠または中枠と呼ばれるような可動枠７５が左側のヒンジ７６で前側横方向に片開き可能にかつ着脱可能（交換可能）に取り付けられる。可動枠７５は、前後方向に開放された縦長な長方形の空間を囲む額縁形状の合成樹脂からなる可動枠本体７７と、可動枠本体７７から内部に延設された合成樹脂からなる遊技主体収納構造体７８とを備える。可動枠７５は、閉じられた場合、図外のロック機構によって、開閉不能に固定枠７２に支持される。可動枠本体７７には、パネル枠８１および球皿構造体８２が左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。パネル枠８１の裏面上部には、中・高音用の図外のスピーカーが左右に取り付けられる。このスピーカーの設けられるパネル枠８１の部分には、スピーカーの中・高音をパネル枠８１の裏側から前側に放出する図外の放音孔部が設けられる。
【０００９】
パネル枠８１は、閉じられた場合、図外のロック機構によって、開閉不能に、可動枠本体７７に支持される。球皿構造体８２は、閉じられた場合、ロック機構によって、開閉不能に、可動枠本体７７に支持される。可動枠本体７７の右縦片には施錠装置８６が設けられる。可動枠７５やパネル枠８１および球皿構造体８２が閉じられてロック機構で開閉不能に支持された状態において、遊技店の店員が図外のキープレート（鍵）を遊技機枠７１の前側から施錠装置８６の鍵穴８７に挿入し、当該キープレートを例えば右側に９０度回転操作すると、固定枠７２と可動枠７５とのロック機構による支持形態が解除される。この支持形態の解除後に、店員が可動枠７５を前側に引くことによって、可動枠７５はヒンジ７６を中心として前側に片開きされる。また、上記施錠装置８６の鍵穴８７に挿入されたキープレートが例えば左側に９０度回転操作されると、可動枠７５とパネル枠８１とのロック機構による支持形態が解除される。この支持形態の解除後に、店員がパネル枠８１を前側に引くことによって、パネル枠８１は前記図外のヒンジを中心として前側に片開きされる。このように、パネル枠８１が前側に開かれた状態において、店員が可動枠７５の前面に設けられたロック解除操作体８９を操作すると、可動枠７５と球皿構造体８２とのロック機構による支持形態が解除される。この支持形態の解除後に、店員が球皿構造体８２を前側に引くことによって、球皿構造体８２は前記図外のヒンジを中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０３に球を供給する球供給口９３とを備える。
【００１０】
遊技主体収納構造体７８は、前側に開放された遊技主体収納室９５と、遊技主体収納室９５の背壁に形成された前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック部材９９を備える。遊技主体ロック部材９９は、遊技主体収納構造体７８から前側に突出する円筒状の台座の中心にロック操作部１００を回転可能に備える。ロック操作部１００は、台座から前側に突出した操作軸の端部に固定された横長な形態である。遊技主体収納構造体７８における遊技主体収納室９５よりも下部における前面には、遊技主体棚１０１を備える。
【００１１】
遊技主体棚１０１の前面には、発射機構１０３、発射レール１０４、ファール球取入口部１０５、前横樋１０６を備える。発射レール１０４は、球皿構造体８２の球供給口９３から供給された１個の球を受け取る。発射機構１０３は、電力供給と遮断とを交互に受けることによって、球収納部９０から発射レール１０４に供給された１個の球を遊技盤１１０の遊技領域１１３に向けて発射する。発射レール１０４は、発射機構１０３から発射された球を、遊技盤１１０における発射通路１２２の入口に誘導する。ファール球取入口部１０５は、遊技盤１１０の発射通路１２２から落下する球を取り込む。ファール球取入口部１０５に取り込まれた球は、前横樋１０６を経由して球取入口９２に排出される。前横樋１０６は、可動枠７５の裏部に取り付けられた払出機構１０７から払い出された球を球取入口９２に排出する。可動枠７５の裏部には、タンク１０８を備える。タンク１０８は、遊技設置構造体の補給系統から供給された球を貯蔵し、貯蔵した球を払出機構１０７の球払出動作に伴い払出機構１０７に供給する部品である。
【００１２】
図３を参照し、前横樋１０６の構造について説明する。前横樋１０６における溝構造体１７１は、遊技主体収納構造体７８が遊技主体収納室９５と中央開口部９６と遊技主体受部９８と遊技主体棚１０１と切欠部１０２および前壁１０９を有する形状に成形型を用いて形成される場合において、遊技主体収納構造体７８に遊技主体収納構造体７８と一緒に形成される。つまり、溝構造体１７１および遊技主体収納構造体７８は単一物として形成され、溝構造体１７１が遊技主体収納構造体７８の一部分を構成するものである。溝構造体１７１は、可動枠７５の前壁１０９から裏側に突出し、前方に開口された横長な形状である。溝構造体１７１の底壁１７６は、球受取部１６６の左側壁に形成された開口１７７から取り込んだ球を右側に流下する斜面になっている。開口１７７は、ファール球取入口部１０５から排出された球や払出機構１０７から排出された球を溝構造体１７１に取り込むためのものである。溝構造体１７１の遊技主体棚１０１との境界を形成する隔壁１８０の前面には、複数の被係合部１８１を横に並んだ形態に備える。被係合部１８１は、隔壁１８０の前面から内部に直線的に窪む窪みとして形成される。前壁１０９には、取付部２４４を備える。
【００１３】
蓋構造体１７２は、無色な光透過性の有る合成樹脂からなる裏側に開口された横長であるものの、溝構造体１７１よりも横幅の小さい形状である。蓋構造体１７２は、縦方向の前面部１８７、前面部１８７の上縁から裏側に突出する上面部１８８、上面部１８８の後縁から上方に突出するフランジ部１８９、フランジ部１８９の上縁から裏側に直線的に突出する複数の係合部１９０、前面部１８７の下縁から裏側に突出する底面部１９１、底面部１９１から下方に突出する取付足１９４、前面部１８７の左縁から裏側に突出する左側壁１９３、取付足１９４に設けられた固定具２１１を備える。左側壁１９３は、上面部１８８および底面部１９１に連接される。
【００１４】
そして、蓋構造体１７２の左側壁１９３が溝構造体１７１における開口１７７の形成された左側壁と前後方向で突き合わせられるように、蓋構造体１７２の底面部１９１が溝構造体１７１の底壁１７６に下側から被せられる。その後、蓋構造体１７２の係合部１９０が溝構造体１７１の被係合部１８１に前側から挿入され、固定具２１１が取付部２４４に押し込まれることによって、蓋構造体１７２が溝構造体１７１における前方開口の一部を前側から塞ぐように、可動枠７５に取り付けられる。蓋構造体１７２が可動枠７５に取り付けられることによって、蓋構造体１７２と溝構造体１７１とが前横樋１０６を形成し、溝構造体１７１における蓋構造体１７２より右側に露出した部分が、前横樋１０６から排出される球を、図１に示す球皿構造体８２の球取入口９２に排出する球出口１２４となる。つまり、蓋構造体１７２が下部に固定具２１１を備え上部に係合部１９０を備え、遊技機枠７１における遊技主体収納構造体７８が溝構造体１７１の下部に取付部２４４を備え溝構造体１７１の上部に蓋構造体１７２の係合部１９０と係合する被係合部１８１を備えているので、蓋構造体１７２が遊技主体収納構造体７８に固定具２１１で取り付けられて、蓋構造体１７２と溝構造体１７１とかなる前横樋１０６の内部を球が流れる場合、操作具確認部１９２で押え付けられている固定具２１１が球から蓋構造体１７２への負荷を負担するので、被係合部１８１と係合部１９０との嵌め合い構造を前後方向で直線的に嵌まったり抜けたりすることが可能な簡単に形成し得る構造しても、被係合部１８１と係合部１９０との嵌め合いが外れることがないという利点がある。
【００１５】
図４を参照し、図１−図３に示した固定具２１１の構造について説明する。固定具２１１は、市販品であって、係合具２２２と操作具２２３とを備える。係合具２２２および操作具２２３は、互いに別々に形成される。係合具２２２は、前後方向に貫通する中心孔２２４を有する円筒本体２２５の一端部に受部２２６を備え、円筒本体２２５の他端部に掛止部２２７を備える。受部２２６と掛止部２２７との間における円筒本体２２５の外周面は、受部２２６の外径と掛止部２２７の外径との双方よりも細い、くびれ部２２８として形成される。受部２２６は円筒本体２２５の一端部より軸心方向の外側に開口する皿状である。掛止部２２７は、割溝２２９によって、周方向に独立した複数の片持ち梁のような弾性片として形成される。割溝２２９は、掛止部２２７の他端部とくびれ部２２８との間を、軸心方向と直径方向とに切り欠かれている。掛止部２２７を構成する各弾性片の中心孔２２４を囲む内面には、突起２３０が、軸心方向に向けて突出する。操作具２２３は、棒本体２３１の一端部に鍔２３２とくびれ部２３３と摘み２３４とを備え、棒本体２３１の他端部に係合溝２３５を備える。棒本体２３１は、受部２２６の方向から中心孔２２４に挿入されるとともに、中心孔２２４に挿入された場合に突起２３０を中心孔２２４の径方向外側に押して掛止部２２７を押し広げる、太さである。鍔２３２は、棒本体２３１の外径よりも大きな外径であって、受部２２６における周壁で囲まれた内部に取り込まれる大きさである。くびれ部２３３は、鍔２３２から同軸状に突出し、鍔２３２と摘み２３４との双方よりも細い。摘み２３４は、摘み２３４から同軸状に突出し、くびれ部２３３と鍔２３２との双方よりも太い円盤形状である。
【００１６】
図５を参照し、固定具２１１による溝構造体１７１と蓋構造体１７２との係合について説明する。図５のａ図に示すように、係合具２２２のくびれ部２２８が、蓋構造体１７２の前側から取付孔２４３に嵌め込まれることによって、受部２２６と掛止部２２７とが、取付孔２４３の周囲における蓋構造体１７２を挟む格好となり、係合具２２２が、蓋構造体１７２に取り付けられる。そして、操作具２２３の棒本体２３１が、係合具２２２の受部２２６の方向から中心孔２２４に挿入されることによって、係合溝２３５が、突起２３０に嵌め込まれた格好となり、操作具２２３が、係合具２２２に取り付けられる。これによって、固定具２１１が蓋構造体１７２に取り付けられる。この蓋構造体１７２に取り付けられた固定具２１１の蓋構造体１７２より裏側に突出した先端部としての係合具２２２における掛止部２２７が、溝構造体１７１を備えた遊技主体収納構造体７８に設けられた前側に開口した筒状の取付部２４４の内部に挿入され、係合具２２２の周囲における取付部２４４の前面に接触される。
【００１７】
次に、図５のｂ図に示すように、人が、操作具２２３の摘み２３４を矢印Ｘ１で示すように前側から裏側の方向に押すことによって、上記突起２３０と係合溝２３５との嵌まり合いが解除され、棒本体２３１が中心孔２２４の内部を後側である奥に進入する。これに伴い、棒本体２３１の外周面が、突起２３０を中心孔２２４の径方向外側に押して、掛止部２２７を押し広げる。この中心孔２２４の径方向外側に押し広げられた掛止部２２７が、取付部２４４を径方向外側に突っ張るように、取付部２４４に接触する。これによって、固定具２１１が取付部２４４に押し込まれた形態となり、溝構造体１７１が蓋構造体１７２を塞ぎ遊技主体収納構造体７８に固定具２１１で脱落しないように取り付けられる。その状態において、人が、摘み２３４を矢印Ｘ１で示すように裏側から前側の方向に引っ張ることによって、棒本体２３１が中心孔２２４の内部を奥から前側に後退する。これに伴い、掛止部２２７が自身の弾性で径方向内側に縮んで図５のａ図に示すように取付部２４４から離れる。そして、人が摘み２３４を持ったまま矢印Ｘ２で示す方向に移動することによって、蓋構造体１７２が取付部２４４から離れ、溝構造体１７１が前方に開放される。
【００１８】
図１に戻り、遊技機枠７１に交換可能に取り付けられる遊技主体としての遊技盤１１０の構造について説明する。遊技盤１１０について説明する。遊技盤１１０は、遊技盤１１０の方形な前面における内ガイドレール１１１と外ガイドレール１１２とで囲まれた内側の遊技領域１１３に、複数の入賞部品１１４、多数本の遊技釘１１５、戻り球防止弁１１６、球反発体１１７、アウト口１１８などの前部品を備え、内ガイドレール１１１および外ガイドレール１１２の外側の非遊技領域に、盤面飾り１１９、証紙台１２０、取付部１２１を備える。内ガイドレール１１１の左側部と外ガイドレール１１２の左側部との間の隙間は、発射通路１２２である。取付部１２１は、遊技盤１１０を遊技主体収納室９５に固定するものであって、遊技主体収納室９５に設けられた遊技主体ロック部材９９と係合するロック挿入孔１２３を備える。証紙台１２０が、盤面飾り１１９との連結部である図外のヒンジを回転中心として前方に開かれることによって、下部の取付部１２１が遊技盤１１０の前側から見える格好となる。そして、証紙台１２０が上記ヒンジを回転中心として後方に閉じられることによって、下部の取付部１２１が証紙台１２０で覆われて盤面飾り１１９の前側から見えなくなる。閉じられた証紙台１２０の前面には、検査に合格して販売の認可を受けたことを示すための図外の証紙が、貼り付けられる。
【００１９】
遊技盤１１０は、遊技機枠７１に次のように装着される。少なくとも、パネル枠８１が開けられた状態において、遊技盤１１０の遊技領域１１３が前側に向けられ、遊技盤１１０が遊技機枠７１の前側から遊技主体収納室９５に挿入され、遊技盤１１０の下部が遊技主体棚１０１の上に載せられ、遊技盤１１０の左側部が遊技主体受部９８と遊技主体押圧部９７とで前後方向から挟まれた後、遊技盤１１０の右側部が後側に押され、遊技主体ロック部材９９のロック操作部１００が取付部１２１のロック挿入孔１２３に後側から挿入されて前側に突出した状態において、作業者がロック操作部１００を例えば右方向に９０度回転操作すると、ロック操作部１００がロック挿入孔１２３の周りにおける取付部１２１と係合し、遊技盤１１０が可動枠７５の前部である遊技主体収納室９５に取り付けられる。これによって、遊技盤１１０の遊技領域１１３から前側に突出した入賞部品１１４、遊技釘１１５、戻り球防止弁１１６、球反発体１１７、アウト口１１８などの遊技部品が前側に向けられる。このように遊技盤１１０が装着された後、パネル枠８１が閉じられることによって、遊技領域１１３および発射通路１２２が窓８３と対応し、人が、パチンコ機を前側から見た場合、前面パネル８４を通して、遊技領域１１３、入賞部品１１４、遊技釘１１５、戻り球防止弁１１６、球反発体１１７、アウト口１１８、発射通路１２２を見ることができる。
【００２０】
遊技盤１１０が可動枠７５に装着され、可動枠７５とパネル枠８１および球皿構造体８２が閉じられ、図外の電源装置、主制御装置、複合制御装置、図柄制御装置、発射払出制御装置など複数の制御装置が電気的に起動し、球が球収納部９０に入れられ、遊技者が発射操作機構９１を操作すると、発射機構１０３が球収納部９０から供給された球を１個ずつ発射操作機構９１の操作量に応じた発射力で遊技盤１１０の遊技領域１１３に発射する。遊技領域１１３に発射された球は、遊技釘１１５や球反発体１１７あるいは入賞部品１１４で流れを変えられるとともに、入賞部品１１４の何れかに入賞する。この入賞の結果として、払出機構１０７が遊技機枠７１の裏側から遊技機枠７１の前側の球収納部９０に賞球としての球を払い出す。
【産業上の利用可能性】
【００２１】
操作具確認部１９２がゴムやバネのような弾性を有する物質で形成されれば、操作具確認部１９２による固定具２１１への押し込みがより安定する。遊技機として球を使用するスロットマシンの遊技機枠としても適用することができる。
【図面の簡単な説明】
【００２２】
【図１】遊技機枠と遊技盤とを示す分解斜視図（最良の形態）。
【図２】球皿構造体の周りを示す縦断面図（最良の形態）。
【図３】前横樋を前側から示す分解斜視図（最良の形態）。
【図４】固定具を示す分解斜視図（最良の形態）。
【図５】固定具の内部構造を示す断面図（最良の形態）。
【符号の説明】
【００２３】
７１    遊技機枠
８２    球皿構造体
９０    球収納部
１０８  タンク
１７１  溝構造体
１７２  蓋構造体
１８１  被係合部
１９０  係合部
１９２  操作具確認部
２１１  固定具
２４４  取付部
【図１】
2006014811.tif 000003
【図２】
2006014811.tif 000004
【図３】
2006014811.tif 000005
【図４】
2006014811.tif 000006
【図５】
2006014811.tif 000007